(57)【要約】【課題】光源の光を効率よく利用し、当該バックライトユニットを実装する液晶表示パネルにおける画像等の表示を良好なものとすることができる構成を有するバックライトユニットを提供する。【解決手段】射出成型時において樹脂注入口であったゲート部８がその側面の一部に形成された導光板２と、前記導光板２を収納する凹部５がフレーム枠６ａに形成されたフレームケース６、前記凹部５に収納された前記導光板２の入射面２ｂと対向するように配設された光源７とを有するバックライトユニット１の、前記導光板２に形成されたゲート部８と対向する部位の前記フレーム枠６ａに貫通切欠き部１０を形成し、前記凹部５の内周面は前記導光板２から出射される光源７の光を反射させる光反射面とする。【選択図】      図１
2005024739.tif 000002
【特許請求の範囲】
【請求項１】
液晶表示パネルの表示領域に上面を対向させて配置され、射出成型時において樹脂注入口であったゲート部がその側面の一部に形成された導光板と、前記導光板を収納する凹部を構成するフレーム枠が形成されたフレームケースと、前記凹部に収納された前記導光板の入射面と対向するように配設された光源とを有するバックライトユニットであって、
前記導光板に形成されたゲート部と対向する前記フレーム枠に貫通切欠き部が形成されているとともに、前記凹部の内周面は前記導光板から出射される光源の光を反射させる光反射面とされていることを特徴とするバックライトユニット。
【請求項２】
前記フレーム枠に形成された貫通切欠き部の外方に、前記導光板から出射される光源の光の反射を抑制する反射抑制部材が配設されている請求項１に記載のバックライトユニット。
【請求項３】
液晶表示パネルの表示領域に上面を対向させて配置され、射出成型時において樹脂注入口であったゲート部がその側面の一部に形成された導光板と、前記導光板を収納する凹部を構成するフレーム枠が形成されたフレームケースと、前記凹部に収納された前記導光板の入射面と対向するように配設された光源とを有するバックライトユニットであって、
前記導光板に形成されたゲート部と対向する前記フレーム枠に、前記導光板から出射される光源の光の反射を抑制する反射抑制部材が配設されており、その他の前記凹部の内周面は、前記導光板から出射される光源の光を反射させる光反射面とされていることを特徴とするバックライトユニット。
【請求項４】
液晶表示パネルの表示領域に上面を対向させて配置され、射出成型時において樹脂注入口であったゲート部がその側面の一部に形成された導光板に対し、光源から照射されて前記導光板から出射された光を前記導光板の周囲に配設された光反射面に反射させて再入射させ、前記液晶表示パネルの表示領域に向かって平面光として照射させるように構成されたバックライトユニットであって、
前記導光板の側面に対向する前記光反射面が、前記ゲート部に対向する第１光反射面と、前記導光板の側面の前記ゲート部以外の部分に対向する第２光反射面とにより構成されており、前記導光板のゲート部と前記第１光反射面との距離が、前記ゲート部以外の部分と前記第２光反射面との距離よりも長くなるように形成されていることを特徴とするバックライトユニット。
【請求項５】
前記第１反射面に前記導光板から出射される光源の光の反射を抑制する反射抑制部材が配設されている請求項４に記載のバックライトユニット。
【発明の詳細な説明】
【０００１】
【発明の属する技術分野】
本発明はバックライトユニットに係り、詳しくは、導光体の側面から出射された光源の光を前記導光板の周囲に配設された光反射面で反射させて、再び、前記導光板へ入射させる構成を有するバックライトユニットに関する。
【０００２】
【従来の技術】
従来より、文字や図形などの各種の画像を表示する表示装置として、２枚の透明基板間に液晶を密封させた液晶表示パネルを用いた液晶表示装置が利用されている。
【０００３】
このような液晶表示装置は、液晶表示パネルの反視認側に配設したバックライトユニットからの照射光を用いて前記液晶表示パネルの表示部を明るく表示する構成が知られている。
【０００４】
前記バックライトユニットとしては、導光板を用いたサイドライト方式のバックライトユニットが、直下方式のバックライトユニットに比して薄型化および熱対策に有利である等の理由から多く採用されている。このサイドライト方式のバックライトユニットについて更に説明をすると、ＬＥＤなどの光源から照射され、導光板の側面に設けられた入射面から当該導光板内部へ入射した光を多重反射させて、当該導光板の液晶表示パネルと対向させて配置される表面からこの光を出射させることにより、バックライトユニットからの光を前記液晶表示パネルの表示領域に向かって平面光として照射するように構成されている。
【０００５】
図５は、一般的な液晶表示装置の構成を示しており、この液晶表示装置２０においては、一対の透明基板２１間に基板間寸法調整用のスペーサ２２を介在させた状態で液晶２３を封入した液晶表示パネル２４の背面に対向するようにして、サイドライト方式のバックライトユニット１が取り付けられている。
【０００６】
前記バックライトユニット１は、導光板２、反射板３、拡散板４および光源と、それらを収納する凹部５が形成されたフレームケース６（図５には図示省略）とから構成されている。
【０００７】
前記フレームケース６は、図６に示すように、前記液晶表示パネル２４とほぼ同じ大きさの平面形状とされた筐体とされており、前記拡散板４は前記導光板２の液晶表示パネル２４に対向する側の表面に配設され、一方、前記反射板３は前記導光板２の背面に配設されて、前記液晶表示パネル２４に対向する面を開口させた前記凹部５内に収納されている。
【０００８】
前記フレームケース６の側方にはＬＥＤやＣＣＴ（冷陰極蛍光管）などの光源７が設置されており、前記光源７は前記バックライトユニット１の背面側に配設された回路基板２５から電極端子（図示せず）を通じて供給される電力によって発光し、前記光源７から発光される照射光は、前記導光板２により面光源として機能し、前記液晶表示パネル２４に均一に照射光を照射するように構成されている。
【０００９】
ここで、図６は、従来のバックライトユニット１における導光板２とフレームケース６のみを示す分解斜視図である。
【００１０】
この図に示すように、導光板２は平面形状を矩形状とされており、前記フレームケース６の底面側に配置されることとなる面（下面）２ａは、バックライトユニット１の光源７からの光が入射する一側面（以下、入射面という。）２ｂ側から、その入射面２ｂと対向する対向面２ｃ側に向けて、所定の傾斜角で登り勾配とされたスロープ面とされている。
【００１１】
このような形状とされた導光板２は、一般に、アクリル、ポリカーボネートなどの樹脂を射出成型することにより製造されている。射出成型においては、当該導光板２の形状とされた金型に形成された、樹脂を流し込むための樹脂注入口（以下、ゲート部という。）８から、前記金型内に樹脂を流し込み、所定の形状に固化させて成形した後に、前記ゲート部８の樹脂を切断等で処理することにより、単体パーツとするようになされている。そして、一般に、前記ゲート部８は、導光板２が前記液晶表示パネル２４に均一に照射光を照射することができるように、導光板２の拡散・反射領域である有効発光エリア９を避け、前記入射面２ｂおよび対向面２ｃ以外の側面２ｄに形成される。
【００１２】
一方、フレームケース６は、前記導光板２を収納する凹部５の内周面は、導光板２から出射される光源７の光を反射させて、再び導光板２に入射させることにより輝度を向上させるべく、例えば、反射率の高い白色や淡色、金属色などで着色された光反射面とされている。
【００１３】
【発明が解決しようとする課題】
しかしながら、前述のように導光板２から出射した光がフレームケース６の内周面の光反射面に反射して再び導光板２内に入射する際に、前記ゲート部８の樹脂を切断した部分のカット面（表面）が、他の部分の表面に比べて凹凸の大きい粗面となるため、その部分で入射する光が乱拡散してしまい、前記ゲート部８近傍の有効発光エリア９において、他の部分よりも明るく見える輝度ムラとして視認されることがあった。
【００１４】
本発明は、このような問題点に鑑みてなされたものであり、光源の光を効率よく利用し、当該バックライトユニットを実装する液晶表示パネルにおける画像等の表示を良好なものとすることができる構成を有するバックライトユニットを提供することを目的とするものである。
【００１５】
【課題を解決するための手段】
前述した目的を達成するため、本発明のバックライトユニットの特徴は、液晶表示パネルの表示領域に上面を対向させて配置され、射出成型時において樹脂注入口であったゲート部がその側面の一部に形成された導光板と、前記導光板を収納する凹部を構成するフレーム枠が形成されたフレームケースと、前記凹部に収納された前記導光板の入射面と対向するように配設された光源とを有するバックライトユニットであって、前記導光板に形成されたゲート部と対向する前記フレーム枠に貫通切欠き部が形成されているとともに、前記凹部の内周面は前記導光板から出射される光源の光を反射させる光反射面とされている点にある。
【００１６】
このような構成とされたバックライトユニットによれば、前記導光板に形成されたゲート部と対向し、前記フレームケースの凹部を構成するフレーム枠部分は貫通切欠き部とされ、他のフレーム枠部分のように光反射面として作用する構成とされていないため、導光板から出射された反射光の、前記ゲート部の単位面積に入射する光量を、前記ゲート部以外の導光板の側面の単位面積に入射する光量よりも抑えることができ、よって、前記ゲート部の表面が粗面であることを原因とする光の乱拡散があったとしても、前記導光板のゲート部近傍の有効発光エリアが他の部分よりも明るく見える輝度ムラが視認されることを防止することができる。
【００１７】
また、請求項２に記載のバックライトユニットの特徴は、請求項１に記載のバックライトユニットにおいて、前記貫通切欠き部の外方に、前記導光板から出射される光源の光の反射を抑制する反射抑制部材が配設されている点にある。
【００１８】
このような構成とされたバックライトユニットによれば、前記反射抑制部材により、導光板から出射され、前記貫通切欠き部を通過した光源の光の反射を抑制することで、確実に、導光板から出射された反射光の、前記ゲート部の単位面積に入射する光量を、前記ゲート部以外の導光板の側面の単位面積に入射する光量よりも抑えることができる。また、前記導光板のゲート部から出射され前記反射抑制部材に反射して再び前記導光板に入射する反射光の光路長が、前記ゲート部以外の部分から出射され光反射面とされた前記凹部の内周面に反射して前記導光板に入射する反射光の光路長よりも長くなるので、導光板から出射された反射光の、前記ゲート部の単位面積に入射する光の光量（照度）を、前記ゲート部以外の導光板の側面の単位面積に入射する光の光量（照度）よりも抑えることができる。
【００１９】
よって、前記ゲート部の表面が粗面であることを原因とする光の乱拡散があったとしても、前記ゲート部近傍の有効発光エリアが他の部分よりも明るく見える輝度ムラが視認されることを確実に防止することができる。
【００２０】
さらに、請求項３に記載のバックライトユニットの特徴は、液晶表示パネルの表示領域に上面を対向させて配置され、射出成型時において樹脂注入口であったゲート部がその側面の一部に形成された導光板と、前記導光板を収納する凹部を構成するフレーム枠が形成されたフレームケースと、前記凹部に収納された前記導光板の入射面と対向するように配設された光源とを有するバックライトユニットであって、前記導光板に形成されたゲート部と対向する前記フレーム枠に、前記導光板から出射される光源の光の反射を抑制する反射抑制部材が配設されており、その他の前記凹部の内周面は、前記導光板から出射される光源の光を反射させる光反射面とされている点にある。
【００２１】
このような構成とされたバックライトユニットによれば、前記光吸収膜により、導光板から出射された光源の光の反射を抑制することで、前記導光板から出射された反射光の、前記ゲート部の単位面積に入射する光量を、前記ゲート部以外の導光板の側面の単位面積に入射する光量よりも抑えることができ、よって、前記ゲート部の表面が粗面であることを原因とする光の乱拡散があったとしても、前記ゲート部近傍の有効発光エリアが他の部分よりも明るく見える輝度ムラが視認されることを防止することができる。
【００２２】
また、請求項４に記載のバックライトユニットの特徴は、液晶表示パネルの表示領域に上面を対向させて配置され、射出成型時において樹脂注入口であったゲート部がその側面の一部に形成された導光板に対し、光源から照射されて前記導光板から出射された光を前記導光板の周囲に配設された光反射面に反射させて再入射させ、前記液晶表示パネルの表示領域に向かって平面光として照射させるように構成されたバックライトユニットであって、前記導光板の側面に対向する前記光反射面が、前記ゲート部に対向する第１光反射面と、前記導光板の側面の前記ゲート部以外の部分に対向する第２光反射面とにより構成されており、前記導光板のゲート部と前記第１光反射面との距離が、前記ゲート部以外の部分と前記第２光反射面との距離よりも長くなるように形成されている点にある。
【００２３】
このような構成とされたバックライトユニットによれば、前記導光板のゲート部から出射され前記第１光反射面に反射して再び前記導光板に入射する反射光の光路長が、前記ゲート部以外の部分から出射され前記第２光反射面に反射して前記導光板に入射する反射光の光路長よりも長くなるので、導光板から出射された反射光の、前記ゲート部の単位面積に入射する光の光量（照度）を、前記ゲート部以外の導光板の側面の単位面積に入射する光の光量（照度）よりも抑えることができ、よって、前記ゲート部の表面が粗面であることを原因とする光の乱拡散があったとしても、前記ゲート部近傍の有効発光エリアが他の部分よりも明るく見える輝度ムラが視認されることを防止することができる。
【００２４】
そして、請求項５に記載のバックライトユニットの特徴は、前記第１反射面に前記導光板から出射される光源の光の反射を抑制する反射抑制部材が配設されている点にある。このような構成によって、ゲート部に入射する反射光量を確実に抑えることができ、輝度ムラが視認されることを確実に防止することができる。
【００２５】
【発明の実施の形態】
次に、本発明の実施形態を図１乃至図４を用いて具体的に説明する。なお、バックライトユニット１の構成について、前述の従来例の構成と特に変更のない部分についての説明は省略し、符号も同一の符号を用いて説明する。
【００２６】
本発明の第１実施形態のバックライトユニット１は、サイドライト方式のバックライトユニット１であり、導光板２、反射板３、拡散板４および光源７と、それらを収納する凹部５が形成されたフレームケース６とから構成されている。
【００２７】
図１は、本発明の第１実施形態のバックライトユニット１における導光板２とフレームケース６のみを示す分解斜視図である。
【００２８】
この図に示すように、本実施形態のフレームケース６においては、前記凹部５を構成するフレーム枠６ａの前記導光板２に形成されたゲート部８と対向する部分が、切欠きにより開口する貫通切欠き部１０とされている。そして、前記導光板２を収納する凹部５の内周面は、導光板２から出射される光源７の光を反射させて、再び導光板２に入射させることにより輝度を向上させるべく、例えば、反射率の高い白色や淡色、金属色などで着色された光反射面とされている。
【００２９】
このような構成とされたバックライトユニット１においては、前記導光板２に形成されたゲート部８と対向する部分の前記フレーム枠６ａが貫通切欠き部１０とされているため、他の部位のフレーム枠６ａのように光反射面として作用することがない。よって、前記他の部位のフレーム枠６ａから出射した光は、対向して位置する前記フレームケース６の凹部５の光反射面に反射して再び前記導光板２の側面から入射する反射光となるが、前記前記ゲート部８から出射した光が、前述したような状態で反射光となって再び前記ゲート部８に入射することはない。
【００３０】
よって、前記ゲート部８の単位面積に入射する光量を前記ゲート部８以外の導光板２の側面の単位面積に入射する光量よりも抑えることができ、前記ゲート部８において、その表面が粗面であることを原因とする光の乱拡散があったとしても、前記導光板２のゲート部８近傍の有効発光エリア９が他の部分よりも明るく見える輝度ムラが視認されることを防止することができる。
【００３１】
また、仮に、前記ゲート部８から出射した光源７の光が、当該フレームケース６を実装する液晶表示装置２０の外装筐体の内周壁等に反射し、再び、前記ゲート部８に入射することになったとしても、前記貫通切欠き部１０を通過して前記ゲート部８から再び導光板２内に入射する光量は格段に少なくなり、さらには、前記導光板２のゲート部８から出射され、液晶表示装置２０の外装筐体の内周壁等に反射して再び前記導光板２に入射する反射光の光路長は、前記ゲート部８以外の導光板２の側面から出射され、前記フレームケース６の内周面に反射して前記導光板２に入射する反射光の光路長よりも長くなるので、導光板２から出射された反射光の、前記ゲート部８の単位面積に入射する光の光量（照度）を、前記ゲート部８以外の導光板２の側面の単位面積に入射する光の光量（照度）よりも抑えることができる。よって、前記ゲート部８近傍の有効発光エリア９が他の部分よりも明るく見える輝度ムラが視認されることを防止することができる。
【００３２】
また、図２は、本発明の第２実施形態のバックライトユニット１の導光板２とフレームケース６、および、本実施形態において反射抑制部材１１として機能する、前記バックライトユニット１を実装する液晶表示装置２０の液晶表示パネル２４と回路基板２５とを電気的に接続させるインターコネクタを示す分解斜視図であり、図３はこの液晶表示装置２０の要部断面図である。
【００３３】
この図に示すように、本実施形態のフレームケース６は、前記凹部５を構成するフレーム枠６ａの前記導光板２に形成されたゲート部８と対向する部分が、切欠きにより開口する貫通切欠き部１０とされている。そして、前記導光板２を収納する凹部５の内周面は、導光板２から出射される光源７の光を反射させて、再び導光板２に入射させることにより輝度を向上させるべく、例えば、反射率の高い白色や淡色、金属色などに着色された光反射面とされている。そして、本実施形態においては、前記フレームケース６に形成された貫通切欠き部１０の外方に、前記導光板２から出射される光源７の光の反射を抑制する反射抑制部材１１として機能するインターコネクタが配設されている。なお、反射抑制とは、光の反射率を低減させるように制御するのみならず、全く反射させないように抑制する光吸収をも含む概念とする。
【００３４】
ここで、前記液晶表示パネル２４について簡単に説明する。
【００３５】
前記液晶表示パネル２４は、一対の透明基板２１としてのガラス基板を有しており、前記一対のガラス基板の互いに対向する面には、ＩＴＯ（酸化インジウムスズ）等からなる透明電極（図示せず）が積層形成されており、これらの透明電極により印加される電圧により、液晶２３の配列方向が制御されるようになっている。前記透明電極が形成された前記ガラス基板の互いに対向する面には、各電極間で前記液晶２３を一定のねじれ形態にて配列させるように表面にラビング処理が施された配向膜（図示せず）が積層形成されている。
【００３６】
そして、一方のガラス基板の周辺部にシール材２６を塗布するとともに、このシール材２６に囲まれた面内に各ガラス基板の間隙を調整するためのスペーサ２２を均一に散布した状態で各ガラス基板を貼り合わせ、前記一対のガラス基板とシール材とにより囲繞された空間内に液晶２３が密封されている。なお、前記一対の透明基板２１のうち、少なくとも一方の透明基板２１は他方の透明基板２１に対して平面上大きく形成されており、この大きく形成された透明基板２１の突出部分には、前記透明電極から引き出された電極端子部（図示せず）が形成されている。
【００３７】
そして、前記反射抑制部材１１としてのインターコネクタは、図３に示すように、前記液晶表示パネル２４の電極端子部と前記回路基板２５に形成された電極端子部（図示せず）とを電気的に接続するように、前記液晶表示パネル２４と回路基板２５間に、前記貫通切欠き部１０が形成されたフレーム枠６ａと平行に、そして前記ゲート部８においては前記貫通切欠き部１０を遮蔽するようにして配設されている。
【００３８】
なお、前記インターコネクタの少なくとも前記ゲート部８と対向する面には、例えば、反射抑制として光を吸収させたい場合には、黒色のように光を吸収する色、また、反射抑制として光の反射を低減させたい場合には、前記凹部５の内周面に着色された色が白の場合の灰色のように、前記凹部５の内周面に着色された色よりも光の反射率の低い色が着色されているものとする。
【００３９】
このような構成とされたバックライトユニット１によれば、前記反射抑制部材１１としてのインターコネクタにより、導光板２から出射され、前記貫通切欠き部１０を通過した光源７の光の反射を抑制することで、確実に、導光板２から出射された反射光の、前記ゲート部８の単位面積に入射する光量を、前記ゲート部８以外の導光板２の側面の単位面積に入射する光量よりも抑えることができる。
【００４０】
なお、前記第２実施形態において、前記フレームケース６に形成された貫通切欠き部１０の外方に配設され、前記導光板２から出射される光源７の光の反射を抑制する反射抑制部材１１は、前述のように、当該バックライトユニット１を実装する液晶表示装置２０に予め実装されていたインターコネクタを用いれば、前記反射抑制部材１１としての別コストも要さず経済的である。しかし、前記反射抑制部材１１は、前記インターコネクタに限るものではなく、例えば、前記貫通切欠き部１０が形成されたフレーム枠６ａの外周面に貼設される、前記ゲート部８に対向する面に光反射性または光吸収性が付与された膜状部材（シール部材）等であってもよい。
【００４１】
次に、図示しないが、本発明の第３実施形態のバックライトユニットを説明する。
【００４２】
本実施形態のフレームケースは、凹部を構成するフレーム枠の導光板に形成されたゲート部と対向する部分が、前記フレーム枠の厚み方向に貫通しない切欠き溝部とされている。そして、前記切欠き溝部を含む導光板を収納する凹部の無い周面は、反射率の高い白色や淡色、金属色などに着色された光反射面とされている。ずなわち、ゲート部に対向する前記切欠き溝部尾内面を第１光反射面、前記導光板の側面の前記ゲート部以外の部分に対向する前記凹部の内周面を第２光反射面としている。
【００４３】
そして、このような構成とされたバックライトユニット１は、前記導光板２のゲート部８と前記第１光反射面との距離が、前記ゲート部８以外の部分と前記第２光反射面との距離よりも長くなるように構成されることとなるので、前記導光板２のゲート部８から出射され前記第１光反射面に反射して再び前記導光板２に入射する反射光の光路長が、前記ゲート部８以外の部分から出射され前記第２光反射面に反射して前記導光板２に入射する反射光の光路長よりも、前記フレーム枠６ａに形成された切欠き溝の倍寸法程、長くなるので、導光板２から出射された反射光の、前記ゲート部８の単位面積に入射する光の光量（照度）を、前記ゲート部８以外の導光板２の側面の単位面積に入射する光の光量（照度）よりも抑えることができる。
【００４４】
また、前記第１光反射面に導光板から出射される光源の光の反射を抑制する反射抑制部材を配設することで、ゲート部に入射する光量を確実に抑えることができる。
【００４５】
よって、前記ゲート部８の表面が粗面であることを原因とする光の乱拡散があったとしても、前記ゲート部８近傍の有効発光エリア９が他の部分よりも明るく見える輝度ムラが視認されることを確実に防止することができる。
【００４６】
さらに、図４は本発明の第４実施形態のバックライトユニット１の導光板２とフレームケース６のみを示す分解斜視図である。
【００４７】
この図に示すように、本実施形態のフレームケース６においては、前記導光板２を収納するフレームケース６の凹部５の内周面は、導光板２から出射される光源７の光を反射させて、再び導光板２に入射させることにより輝度を向上させるべく、例えば、反射率の高い白色や淡色、金属色などに着色された光反射面とされており、さらに、前記導光板２に形成されたゲート部８と対向し、前記フレームケース６の凹部５を構成する部位のフレーム枠６ａには、前記導光板２から出射される光源７の光の反射を抑制する反射抑制部材としての反射抑制膜１３が配設されている。この反射抑制膜１３は、例えば、反射抑制として光を吸収させたい場合には、黒色のように光を吸収する色が着色された膜状部材（シール部材）、また、反射抑制として光の反射を低減させたい場合には、前記凹部５の内周面に着色された色が白の場合の灰色のように、前記凹部５の内周面に着色された色よりも光の反射率の低い色が着色された膜状部材（シール部材）を、貼設したり、あるいは、印刷形成するものとする。
【００４８】
このような構成とされた液晶表示装置２０によれば、前記反射抑制膜１３により、導光板２から出射された光源７の光の反射を抑制することで、前記導光板２から出射された反射光の、前記ゲート部８の単位面積に入射する光量を、前記ゲート部８以外の導光板２の側面の単位面積に入射する光量よりも抑えることができる。
【００４９】
よって、前記ゲート部８の表面が粗面であることを原因とする光の乱拡散があったとしても、前記ゲート部８近傍の有効発光エリア９が他の部分よりも明るく見える輝度ムラが視認されることを防止することができる。
【００５０】
なお、本発明は前記実施形態に限定されるものではなく、必要に応じて種々変更することが可能である。
【００５１】
【発明の効果】
以上述べたように、本発明のバックライトユニットは、導光体の側面に形成されたゲート部の乱拡散を考慮し、前記ゲート部に対向する前記フレーム枠部分に、前記導光板から出射された反射光の、前記ゲート部の単位面積に入射する光量を、前記ゲート部以外の導光板の側面の単位面積に入射する光量よりも抑える（光吸収の場合を含む）ように構成することにより、導光体の側面から出射された光源の光を前記導光板の周囲に配設された光反射面で反射させて、再び、前記導光板へ入射させる構成として光源の光を効率よく利用しつつ、前記ゲート部近傍の有効発光エリアが他の部分よりも明るく見える輝度ムラの発生を防止して、当該バックライトユニットを実装する液晶表示パネルにおける画像等の表示を良好なものとすることができるという優れた効果を奏するものである。
【図面の簡単な説明】
【図１】本発明の第１実施形態のバックライトユニットの要部分解斜視図
【図２】本発明の第２実施形態のバックライトユニットの要部分解斜視図
【図３】図２のバックライトユニットを搭載した液晶表示装置の要部断面図
【図４】本発明の第４実施形態のバックライトユニットの要部分解斜視図
【図５】一般的な液晶表示装置の構成を示す要部断面図
【図６】従来のバックライトユニットの要部分解斜視図
【符号の説明】
１  バックライトユニット
２  導光板
３  反射板
４  拡散板
５  凹部
６  フレームケース
６ａ    フレーム枠
７  光源
８  ゲート部
９  有効発光エリア
１０  貫通切欠き部
１１  反射抑制部材
１３  反射抑制膜
２０  液晶表示装置
２１  透明基板
２２  スペーサ
２３  液晶
２４  液晶表示パネル
２５  回路基板
２６  シール材
【図１】
2005024739.tif 000003
【図２】
2005024739.tif 000004
【図３】
2005024739.tif 000005
【図４】
2005024739.tif 000006
【図５】
2005024739.tif 000007
【図６】
2005024739.tif 000008